(57)【要約】  【課題】部品点数の削減、構造の簡素化、装置コストの低減化、外観の向上等を図ることができるとともに、サブレバーの連れ戻り等が生じることがないようにされたハンドレバー装置を提供する。  【解決手段】被駆動部材（ＣＶ）を制御するためのケーブル（１７）が引張レバー（４０）に連結されていて、メインレバー（３０）により前記引張レバー（４０）を第三回動軸線（Ｏｃ）を支点として揺動させることによって前記ケーブル（１７）を引っ張るようにされるとともに、サブレバー（５０）の揺動操作位置によって前記メインレバー（３０）による前記ケーブル（１７）の引っ張り量を調節できるようにされ、前記メインレバー（３０）を揺動自在に保持するケース部材（２０）内に、前記サブレバー（５０）における押し引き操作部（５３）以外のレバー部分（５１、５２）が収納されてなる。【選択図】  図１１
2006291772.tif 000002
【特許請求の範囲】
【請求項１】
第一回動軸線（Ｏａ）を支点として揺動操作されるメインレバー（３０）と、第二回動軸線（Ｏｂ）を支点として揺動操作されるとともに、任意の揺動操作位置にて不動状態で保持されるサブレバー（５０）と、このサブレバー（５０）上に配在された第三回動軸線（Ｏｃ）を支点として揺動せしめられる引張レバー（４０）と、を備え、被駆動部材（ＣＶ）を制御するためのケーブル（１７）が前記引張レバー（４０）に連結されていて、前記メインレバー（３０）により前記引張レバー（４０）を前記第三回動軸線（Ｏｃ）を支点として揺動させることによって前記ケーブル（１７）を引っ張るようにされるとともに、前記サブレバー（５０）の揺動操作位置によって前記メインレバー（３０）による前記ケーブル（１７）の引っ張り量を調節できるようにされていることを特徴とするハンドレバー装置。
【請求項２】
前記メインレバー（３０）を揺動自在に保持するケース部材（２０）内に、前記サブレバー（５０）における押し引き操作部（５３）以外のレバー部分（５１、５２）が収納されていることを特徴とする請求項１に記載のハンドレバー装置。
【請求項３】
前記メインレバー（３０）が揺動操作されていない解放位置（Ｆ）にあるときには、前記サブレバー（５０）の揺動操作位置が何処であっても、前記引張レバー（４０）と前記ケーブル（１７）との結合点（Ｋ）の位置が一定となるようにされていることを特徴とする請求項１又は２に記載のハンドレバー装置。
【請求項４】
前記サブレバー（５０）が揺動操作されていない始端位置（Ｌ）にあるときには、前記メインレバー（３０）が揺動操作されても、前記引張レバー（４０）と前記ケーブル（１７）との結合点（Ｋ）の位置が変化しないようにされていることを特徴とする請求項１から３のいずれか一項に記載のハンドレバー装置。
【請求項５】
前記メインレバー（３０）が前記解放位置（Ｆ）にあるとき、及び、前記サブレバー（５０）が前記始端位置（Ｌ）にあるときにおける前記結合点（Ｋ）の位置が、前記第二回動軸線（Ｏｂ）上に設定されていることを特徴とする請求項３又は４に記載のハンドレバー装置。
【請求項６】
前記メインレバー（３０）が前記解放位置（Ｆ）にあるとき、及び、前記サブレバー（５０）が前記始端位置（Ｌ）にあるときにおける前記結合点（Ｋ）の位置が一定となるように、前記引張レバー（４０）の前記ケーブル（１７）による引っ張り方向の揺動限界位置を定める係止部（５２ａ）が設けられていることを特徴とする請求項３から５のいずれか一項に記載のハンドレバー装置。
【請求項７】
前記サブレバー（５０）は、前記ケース部材（２０）にその下端部（５１ａ）が軸支されたレバー部（５１）と、該レバー部（５１）の上部に設けられ、前記引張レバー（４０）の上部（４１）が回動自在に連結された連結支持部（５２）と、該連結支持部（５２）に一体的に連設された前記押し引き操作部（５３）と、からなっていることを特徴とする請求項２から６のいずれか一項に記載のハンドレバー装置。
【請求項８】
前記ケース部材（２０）の上面に、前記サブレバー（５０）の揺動を許容するように切欠開口（２０ｆ）が形成され、該切欠開口（２０ｆ）を塞ぐように前記サブレバー（５０）に伴って揺動移動せしめられる可動サブカバー（５４）が配在されていることを特徴とする請求項２から７のいずれか一項に記載のハンドレバー装置。
【請求項９】
前記引張レバー（４０）の下部（４２）に前記ケーブル（１７）が連結され、前記メインレバー（３０）は、前記引張レバー（４０）の中間部分（４３）を押動するようにされていることを特徴とする請求項１から８のいずれか一項に記載のハンドレバー装置。
【請求項１０】
前記サブレバー（５０）のレバー部（５１）と前記ケース部材（２０）の外側に配在された押さえピース（６１）とが、間にウェーブワッシャ（６３）が介装された状態で、ボルト−ナット類（６５、６６）で締め付けられて前記ケース部材（２０）に圧接せしめられており、かつ、前記サブレバー（５０）、前記押さえピース（６１）、及び、前記ボルト−ナット類（６５、６６）が一体回動するように組み付けられていることを特徴とする請求項１から９のいずれか一項に記載のハンドレバー装置。
【請求項１１】
前記サブレバー（５０）のレバー部（５１）に、前記ケース部材（２０）に設けられた軸受穴（５６）に嵌挿される軸部（５５）が突設され、この軸部（５５）の外端部に非円形断面形状の凹部（５５ａ）もしくは凸部が形成されるとともに、前記押さえピース（６１）に前記凹部（５５ａ）もしくは凸部に嵌合せしめられる凸部（６１ａ）もしくは凹部が形成されていることを特徴とする請求項１０に記載のハンドレバー装置。
【請求項１２】
前記押さえピース（６１）及び前記軸部（５５）にボルト穴（６１ｃ、５５ｃ）が形成されるとともに、前記レバー部（５１）の下端部（５１ａ）における反軸部側に非円形断面形状の前記ナット類（６６）が嵌め込まれる一体回動用の嵌合穴（５８）が形成されていることを特徴とする請求項１１に記載のハンドレバー装置。
【請求項１３】
前記被駆動部材が、内燃機関（２）のスロットル弁（ＣＶ）であることを特徴とする請求項１から１２のいずれか一項に記載のハンドレバー装置。
【発明の詳細な説明】
【技術分野】
【０００１】
本発明は、内燃機関のスロットル弁等の被駆動部材を、ケーブルを介して操作するためのハンドレバー装置に係り、特に、ヘッジトリマーや刈払機等の作業機におけるハンドルに配設されて、スロットルケーブルを介して前記スロットル弁を開閉操作するのに好適なハンドレバー装置に関する。
【背景技術】
【０００２】
例えば、内燃機関により刈刃等の作業部を駆動するようにされているヘッジトリマーや刈払機等の作業機においては、前記内燃機関の出力を手元で調節するため、それに備えられているＵ形ハンドルやバーハンドル等のグリップ部近傍に、前記内燃機関のスロットル弁の開度を調節するハンドレバー装置が配設されている。
【０００３】
このハンドレバー装置は、通常、作業者の手指で操作されるスロットルトリガ（スロットルレバー）を備えており、このスロットルレバーを揺動操作することにより、スロットルケーブルを介して前記スロットル弁の開度を調節するようにされている。前記スロットル弁は、通常、常時最小開度（アイドル回転開度）方向に付勢されていて、非操作状態ではアイドル回転開度で保持され、前記スロットルケーブルが所定長以上引っ張られたときに遊びが無くされて、前記アイドル回転開度から高速回転側へ開き始めるようにされる。
【０００４】
このようなスロットル弁の開度調節用のハンドレバー装置としては、前記スロットルレバーを揺動操作状態から解放したときに、該レバーを自動的に前記スロットル弁と共に元の位置（アイドル回転開度）に戻すようにした、自動アイドル回転開度復帰タイプのものと、手指を離してもスロットルレバーを所望の揺動操作位置にて常時不動状態で保持し得るようにした、固定タイプのものとが知られている（例えば、下記特許文献１を参照）。
前記自動復帰タイプのものは、スロットルレバーから指を離せば機関が自動的にアイドリング状態に戻り、機関回転駆動力を遠心クラッチを介して刈刃等からなる作業部に伝達するようにした作業機であれば、前記遠心クラッチが遮断状態となって作業部への動力伝達が断たれるので、不測の事態が生じた際には即座にスロットル弁をアイドル回転開度に戻して作業部を停止させることができ、安全性が高められるという利点が得られる反面、スロットルレバーを常時手指で保持して所望の揺動操作位置に維持しなければならないので、中間開度が使いづらい、手指が疲れる、操作量（回転数）が一定しない、等の問題が生じる。
【０００５】
一般に、使い勝手を考慮すると、スロットルレバー等の、手指によって操作される揺動操作レバーは、中間位置をとらせることなく、解放位置とセット位置（握り位置）との二位置のみをとらせるようになすことが望ましく、スロットル弁を中間開度（パーシャル開度）にするときも全開（ＷＯＴ）にするときも同一の揺動操作位置（セット位置）とする方が操作性に優れると考えられる。
【０００６】
一方、前記固定タイプのものは、前記自動アイドル回転開度復帰タイプの問題を解消し得、スロットルレバーを常時所望の揺動操作位置に、手離しでも不動状態に保持しておくことができるので、手指が自由になって作業を楽に行える等の利点は得られるものの、不測の事態が生じた際には、スロットルレバーの位置保持機能を解除する別操作が必要となり、即座に作業部を停止させることができないので、安全性の面では前記自動アイドル回転開度復帰タイプのものより劣るという問題があった。
【０００７】
また、前記したいずれのタイプも、スロットルレバーを一旦解放して作業を中断した後、作業を再開すべくスロットル弁を元の開度に戻す（刈払機等の作業機ではこのようなことが多い）には、スロットルレバーの揺動操作位置を再調整しなければならず、操作が面倒である等、操作性の面でも改善の余地が残されていた。
【０００８】
前記のようなハンドレバー装置に関する従来の問題及び課題を解消ないし達成すべく、本発明の出願人は、先に、例えば、下記特許文献２に所載のように、揺動操作されるメインレバーとサブレバーとを有し、被駆動部材に連結されたケーブルを動滑車等の折返し部材を介して前記サブレバーで引っ張るようにされ、かつ、前記メインレバーにより前記折返し部材を移動させるようにしたハンドレバー装置を提案している。
【０００９】
かかるハンドレバー装置によれば、被駆動部材としてのスロットル弁等の開度をケーブルを介して調節できるとともに所望の開度に容易に保持させ得、かつ、即座に最小開度（アイドル回転開度）に戻すことができて高い安全性を確保できるとともに、手指を疲れ難くでき、さらには、スロットル弁をアイドル回転開度に戻す前の開度に設定したい場合には再調節を不要にできる等、の利点が得られる。
【００１０】
しかしながら、前記提案のハンドレバー装置においては、前記メインレバーが揺動操作されていない解放位置にあるとき（アイドリング時）には、スロットルケーブルに弛み（遊び）が生じているので、サブレバーを揺動操作すると、スロットルケーブルが僅かではあるが動き、それに伴い、被駆動部材であるスロットル弁の開度が変化してアイドル回転数が変動するという問題があった。かかるアイドル回転数の変動は、実際の作業上は殆ど問題とはならないが、ハンドレバー装置の信頼性、商品価値を下げるおそれがあり、改善することが望まれる。
【００１１】
また、前記提案のハンドレバー装置では、前記問題に加えて、ケーブルに弛みが生じることから、ケーブルが連結部や折り返し部材から外れやすくなる、ケーブルが複数本必要となる、組み付け性が悪い、といった問題もあった。そこで、本発明の出願人は、前記問題をも解消すべく、先に、下記のような構成のハンドレバー装置を提案した（下記特許文献３を参照）。
【００１２】
すなわち、このハンドレバー装置は、第一回動軸線を支点として揺動操作されるメインレバーと、第二回動軸線を支点として揺動操作されるとともに、任意の揺動操作位置にて不動状態で保持されるサブレバーと、このサブレバーと一体に揺動せしめられる一体揺動部上に配在された第三回動軸線を支点として揺動せしめられる引張レバーと、を備え、被駆動部材を制御するためのケーブルが前記引張レバーに連結されていて、前記メインレバーにより前記引張レバーを前記第三回動軸線を中心として揺動させることによって前記ケーブルを引っ張るようにされてなり、前記メインレバーが揺動操作されていない解放位置にあるときには、前記サブレバーの揺動操作位置が何処であっても、前記引張レバーと前記ケーブルとの結合点の位置が一定となるようにされ、好ましい態様では、前記結合点の位置は、前記サブレバーの揺動支点である前記第二回動軸線上に設定される。
【００１３】
かかる構成のハンドレバー装置においては、前記メインレバーが解放位置にあるとき（アイドリング時）においても、被駆動部材（スロットル弁）を制御するケーブルに弛み（遊び）が生じないように予めケーブル長等が設定されており、前記メインレバーをセット位置まで揺動操作すると、前記ケーブルが引っ張られ、それに伴い、前記スロットル弁が最小開度（アイドル開度）から開方向に回動せしめられて、前記サブレバーの揺動操作位置に応じた開度に調節される。
【００１４】
ここで、前記メインレバーが解放位置にあるとき（アイドリング時）における前記引張レバーと前記ケーブルとの結合点の位置が、前記サブレバーの揺動支点である第二回動軸線上に設定され、前記サブレバーの揺動操作位置が高速側乃至低速側の何処であっても、前記引張レバーと前記ケーブルとの結合点の位置が一定となるようにされるので、アイドリング時に、前記サブレバーを揺動操作しても、前記ケーブルは動かず、したがって、前記スロットル弁もアイドル回転開度を保持したままとなるので、アイドル回転数が変動せず安定したものとなり、また、前記ケーブルに弛みが生じさせないことから、前記ケーブルが連結部等から外れ難くなり、その結果、信頼性が増し、商品価値が向上する。
【００１５】
【特許文献１】実公昭５７−１９９４４号公報
【特許文献２】特開平８−３０３２６２号公報
【特許文献３】特開２０００−３４７７５６号公報
【発明の開示】
【発明が解決しようとする課題】
【００１６】
しかしながら、前記提案のハンドレバー装置においては、サブレバーがケース部材の外側に配在されている関係上、前記ケース部材内に前記サブレバーと一体に回動せしめる一体回動部材等を組み付け配在せねばならず、また、前記サブレバーが揺動操作されていないアイドリング時においてメインレバーや引張レバーの不測の揺動を阻止するためにロック機構等を設けているので、部品点数が多くなるとともに、構造が複雑となり、さらに、外観がすっきりしない嫌いがあった。
【００１７】
また、サブレバーを任意の揺動操作位置にて不動状態で保持するため、ケース部材の側壁部とサブレバーの基部内側面との間にウェーブワッシャを介装し、前記サブレバー及び前記ウェーブワッシャをボルト類で前記側壁部に圧接させるように締め付け、この締め付け力によるそれらの間の摩擦抵抗によって、前記サブレバーを任意の揺動操作位置にて保持する手法が採用されている。
【００１８】
ところが、かかる手法では、当該ハンドレバー装置（が用いられた作業機）を使用していくうちに、つまり、前記サブレバーを何回も揺動操作するうちに、前記ボルト類が弛み、該ボルト類による前記ウェーブワッシャの締め付け力が弱くなって、前記サブレバーを任意の揺動操作位置にて不動状態で保持できなくなることがあった。この場合、前記サブレバーは、被駆動部材に連結されたケーブルにより引っ張られていることから、いわゆる連れ戻りが生じ、スロットル弁の開度、機関回転数を適正に調節できなくなるので、前記ボルト類を頻繁に締め直す必要が生じ、面倒であった。
【００１９】
本発明は、前記した如くの問題を解消すべくなされたもので、その目的とするところは、被駆動部材としてのスロットル弁等の開度をケーブルを介して調節できるとともに所望の開度に容易に保持させ得、かつ、即座に最小開度（アイドル回転開度）に戻すことができて高い安全性を確保できるとともに、手指を疲れ難くでき、さらに、スロットル弁をアイドル回転開度に戻す前の開度に再設定したい場合にも再調節を不要にでき、かつ、アイドリング時にサブレバーやメインレバーが揺動操作されても、ケーブルに不所望な動きが生じないようにされたもとで、部品点数の削減、構造の簡素化、装置コストの低減化、外観の向上等を図ることができるとともに、サブレバーの連れ戻り等が生じることがないようにされたハンドレバー装置を提供することにある。
【課題を解決するための手段】
【００２０】
前記の目的を達成すべく、本発明に係るハンドレバー装置は、基本的には、第一回動軸線を支点として揺動操作されるメインレバーと、第二回動軸線を支点として揺動操作されるとともに、任意の揺動操作位置にて不動状態で保持されるサブレバーと、このサブレバー上に配在された第三回動軸線を支点として揺動せしめられる引張レバーと、を備える。
【００２１】
そして、被駆動部材を制御するためのケーブルが前記引張レバーに連結されていて、前記メインレバーにより前記引張レバーを前記第三回動軸線を支点として揺動させることによって前記ケーブルを引っ張るようにされるとともに、前記サブレバーの揺動操作位置によって前記メインレバーによる前記ケーブルの引っ張り量を調節できるようにされていることを特徴としている。
【００２２】
好ましい態様では、前記メインレバーを揺動自在に保持するケース部材内に、前記サブレバーにおける押し引き操作部以外のレバー部分が収納される。
【００２３】
他の好ましい態様では、前記メインレバーが揺動操作されていない解放位置にあるときには、前記サブレバーの揺動操作位置が何処であっても、前記引張レバーと前記ケーブルとの結合点の位置が一定となるようにされる。
【００２４】
また、別の好ましい態様では、前記サブレバーが揺動操作されていない始端位置にあるときには、前記メインレバーが揺動操作されても、前記引張レバーと前記ケーブルとの結合点の位置が変化しないようにされる。
【００２５】
より好ましい態様では、前記メインレバーが前記解放位置にあるとき、及び、前記サブレバーが前記始端位置にあるときにおける前記結合点の位置が、前記第二回動軸線上に設定される。
【００２６】
また、他の好ましい態様では、前記メインレバーが前記解放位置にあるとき、及び、前記サブレバーが前記始端位置にあるときにおける前記結合点の位置が一定となるように、前記引張レバーの前記ケーブルによる引っ張り方向の揺動限界位置を定める係止部が設けられる。
【００２７】
さらに別の好ましい態様では、前記サブレバーは、前記ケース部材にその下端部が軸支されたレバー部と、該レバー部の上部に設けられ、前記引張レバーの上部が揺動自在に連結された連結支持部と、該連結支持部に一体的に連設された前記押し引き操作部と、からなる。
【００２８】
他の別の好ましい態様では、前記ケース部材の上面に、前記サブレバーの揺動を許容するように切欠開口が形成され、該切欠開口を塞ぐように前記サブレバーに伴って揺動移動せしめられる可動サブカバーが配在される。
【００２９】
他の好ましい態様では、前記引張レバーの下部に前記ケーブルが連結され、前記メインレバーは、前記引張レバーの中間部分を押動するようにされる。
【００３０】
さらに、他の好ましい態様では、前記サブレバーのレバー部と前記ケース部材の外側に配在された押さえピースとが、間にウェーブワッシャが介装された状態で、ボルト−ナット類で締め付けられて前記ケース部材に圧接せしめられており、かつ、前記サブレバー、前記押さえピース、及び、前記ボルト−ナット類が一体回動するように組み付けられる。
【００３１】
この場合、好ましくは、前記サブレバーのレバー部に、前記ケース部材に設けられた軸受穴に嵌挿される軸部が突設され、この軸部の外端部に凹部もしくは凸部が形成されるとともに、前記押さえピースに前記凹部もしくは凸部に嵌合せしめられる凸部もしくは凹部が形成される。
【００３２】
さらに好ましい態様では、前記押さえピース及び前記軸部にボルト穴が形成されるとともに、前記レバー部の下端部における反軸部側に非円形断面形状の前記ナット類が嵌め込まれる一体回動用の嵌合穴が形成される。
【００３３】
本発明に係るハンドレバー装置の典型的な、しかし限定的ではない用途としては、内燃機関のスロットル弁の開度調節に使用する場合が挙げられる。
【発明の効果】
【００３４】
前記の如くの構成とされた本発明に係るハンドレバー装置においては、前記メインレバーが解放位置にあるとき（アイドリング時）においても、被駆動部材（スロットル弁）を制御するケーブルに弛み（遊び）が生じないように予めケーブル長等が設定されており、前記サブレバーを始端位置から適宜移動させた状態で、前記メインレバーをセット位置まで揺動操作すると、前記ケーブルが引っ張られ、それに伴い、前記スロットル弁が最小開度（アイドル開度）から開方向に回動せしめられて、前記サブレバーの揺動操作位置に応じた開度に調節される。
【００３５】
ここで、本発明のハンドレバー装置の好ましい態様では、前記メインレバーが解放位置にあるとき（アイドリング時）における前記引張レバーと前記ケーブルとの結合点の位置が、例えば前記サブレバーの揺動支点である第二回動軸線上に設定され、前記サブレバーの揺動操作位置が始端（低速）側乃至終端（高速）側間の何処であっても、前記引張レバーと前記ケーブルとの結合点の位置が一定となるようにされるので、前記メインレバーが開放位置にあるアイドリング時に、前記サブレバーを揺動操作しても、前記ケーブル（前記結合点）は動かず、したがって、スロットル弁もアイドル回転開度を保持したままとなるので、アイドル回転数が変動せず安定したものとなり、また、前記ケーブルに弛みを生じさせないことから、ケーブルが連結部等から外れ難くなり、その結果、作動の信頼性が増し、商品価値が向上する。
【００３６】
また、本発明のハンドレバー装置では、前記サブレバーが前記始端位置にあるときには、前記メインレバーが揺動操作されても、前記引張レバーと前記ケーブルとの結合点の位置が変化しないようにされるので、アイドリング時に、前記メインレバーが不測に動かされても、前記ケーブルは引っ張られず、したがって、スロットル弁もアイドル回転開度を保持したままとなるので、アイドル回転数が変動せず安定したものとなる。このため、前記メインレバーや引張レバーの不測の変位を阻止するためのロック機構が不要となり、構造が簡素となる。
【００３７】
また、ケース部材内に、前記サブレバーにおける押し引き操作部以外のレバー部分が収納されるので、前記ケース部材の外側に前記サブレバーと一体に回動せしめる一体回動部材等の組み付け配在が不要となり、前記ロック機構も不要となることと相俟って、部品点数を大幅に削減できて、構造を簡素にでき、装置コストを低減できるとともに、外観がすっきりして美観が向上し、さらには、小型化、軽量化等を図り得ると同時に、作業性や操作性をより向上させることができる。
【００３８】
加えて、前記サブレバーを任意の揺動操作位置で保持するための押さえピース及びボルト−ナット類が前記サブレバーと相互に位置ずれを生ずることなく一体回動するように組み付けられることから、当該ハンドレバー装置（が用いられた作業機）を長期間使用しても、前記ボルト類が弛まず、したがって、前記ボルト類により常時所要の締め付け力を確保できるので、前記サブレバーの連れ戻りは生じず、スロットル弁の開度、機関回転数を常時適正に調節できるとともに、前記ボルト類を頻繁に締め直す手間が省ける。
【発明を実施するための最良の形態】
【００３９】
以下、本発明のハンドレバー装置の実施の形態を図面を参照しつつ説明する。
【００４０】
図１は,本発明に係るハンドレバー装置の一実施形態が採用された刈払機の一例を示している。図示例の刈払機１は、所定間隔をあけてグリップ部１１，１２が並設された筒状のバーハンドル（操作桿）７の先端側に、刈刃１３や安全カバー１４等からなる作業部３が設けられ、後端側には、前記刈刃１３を前記バーハンドル７に内挿されたドライブシャフト８を介して駆動する動力源としての、リコイルスターター６や燃料タンク４が付設された内燃機関（小型空冷２サイクルガソリンエンジン）２が配備されており、この内燃機関２に、スロットル弁ＣＶを有する気化器（詳細図示省略）や点火プラグ５が備えられている。
【００４１】
本実施形態では、前記スロットル弁ＣＶは、気化器側の戻しばね（図示せず）により常時最小（アイドル回転）開度方向に付勢されていて、それに接続されている後述のスロットル（インナー）ケーブル１７（図２、図４等を参照）は、従来のもののような弛み（遊び）は生じてはいない。
【００４２】
そして、前記グリップ部１１，１２のうちの、通常は右手で握る後側のグリップ部１１に、前記スロットル弁ＣＶの開度を調整すべく、本実施形態のハンドレバー装置１０が適用されている。
【００４３】
前記ハンドレバー装置１０は、図２及び図３にその外観が示されている如くに、前記バーハンドル７の前記グリップ部１１の前端近傍に外嵌固定されたケース部材２０を有し、該ケース部材２０に、前記スロットル弁ＣＶに連結されたボーデンケーブル１５のアウターチューブ１６に挿通された前記スロットルケーブル１７を引っ張り操作する、メインレバー３０が回動可能に保持されされている。前記ケース部材２０は、合成樹脂製の右側カバーケース２１と左側カバーケース２２からなる二分割構造となっている。
【００４４】
前記右側カバーケース２１及び前記左側カバーケース２２は、それぞれ片面が開口した深さの異なる概略角皿状の外観を有しており、それらは、それぞれ上下二箇所ずつ計四箇所に挿入螺合せしめられたビス２４，２４、２４、２４により、前記バーハンドル７を左右から挟むように外嵌固定されている。
【００４５】
前記ケース部材２０に揺動自在に保持された前記メインレバー３０は、図３、図４、図６に示される如くに、前記右側カバーケース２１の内面に設けられた凸部２７（図７参照）から左方向に水平に突出する円筒状の支軸２６に回動自在に外嵌されたボス部３１と、このボス部３１に連なり、平面視（図７）で左側に傾斜ないし湾曲せしめられた傾斜湾曲部３２と、該傾斜湾曲部３２に連なり、手指で握り操作される、直線状に前記グリップ部１１の下側に沿って後方へ伸びる握り操作部３３と、前記ボス部３１に基端側が連結されて斜め上に伸びる半円弧状の揺動レバー部３４と、からなっており、前記ボス部３１は、前記バーハンドル７の中心軸線Ｃａより平面視で右側に偏って配置され、前記握り操作部３３は、前記中心軸線Ｃａより左側に偏って配在されている。
【００４６】
また、前記揺動レバー部３４の上部には、後述の引張レバー４０を揺動させるべく前方に突出するカム状押動部３４ａと、前記握り操作部３３が握り状態から解放され、後述する復帰用ねじりコイルばね３６の付勢力によって前記メインレバー３０全体が揺動せしめられるとき、図８、図１０に示される解放位置Ｆにてその所定角度以上の揺動を停止させるべく、前記右側カバーケース２１に設けられたストッパ部２９に接当係止される後方突出係止部３４ｂと、が設けられている。
【００４７】
また、前記右側カバーケース２１に設けられた前記支軸２６の自由端（左）側は、前記左側カバーケース２２に設けられた凸部２８の挿入穴２８ａに嵌挿され、この支軸２６には前記左右のカバーケース２１，２２を結合するための前記ビスの内の一本２４が、前記左側カバーケース２２の外側からねじ込まれている。前記メインレバー３０は、そのボス部３１の左端面が前記凸部２８に対接せしめられ、右端面が前記凸部２７に対接せしめられ、前記支軸２６の中心軸線である第一回動軸線Ｏａを支点として揺動操作されるようになっている。また、前記メインレバー３０の前記ボス部３１の右端小径部３１ａには、前記メインレバー３０を解放位置Ｆに向けて付勢する復帰用ねじりコイルばね３６が外嵌されている。このねじりコイルばね３６の一端部３６ａは前記メインレバー３０に設けられた係止部３０ａ（図４参照）に係止され、他端部３６ｂは前記右側カバーケース２２の内面に係止されている。
【００４８】
なお、前記ねじりコイルばね３６による付勢力は、作業中に前記メインレバー３０を握り続ける手指に負担を掛けない、必要最低限のものとすると好適である。
【００４９】
前記グリップ部１１には、その下面側における、前面視で前記バーハンドル７の中心軸線Ｃａより右側に断面外形が概略「し」字状の膨出部１１ｃが長手方向に沿って設けられるとともに、その膨出部１１ｃの左隣りに、左面側と下面側が開口した断面横倒しＬ形状のレバー受け部１１ｄが形成されており、前記メインレバー３０が握られて揺動操作されたとき、その握り操作部３３が前記レバー受け部１１ｄに収まるようにされている。ここでは、前記レバー受け部１１ｄに前記握り操作部３３が収まった状態の前記メインレバー３０の位置を、前記解放位置Ｆに対して、セット位置Ｓ、あるいは、握り位置Ｓと称する（図９、図１１参照）。なお、前記膨出部１１ｃ内には前記ボーデンケーブル１５や機関停止スイッチ用等のリード線７２（図２参照）が通されている。
【００５０】
一方、前記右側カバーケース２１には、図４に示される如くに、第二回動軸線Ｏｂを支点として揺動せしめられるとともに、任意の揺動操作位置にて不動状態で保持されるサブレバー５０と、このサブレバー５０の上部に揺動自在に連結された引張レバー４０と、が配在されている。
【００５１】
前記サブレバー５０は、図４〜図６を参照すればよくわかるように、前記ケース部材２０にその下部が軸支されたレバー部５１と、このレバー部５１の上部に一体に設けられた断面コ字状部分５２Ａを有する連結支持部５２と、この連結支持部５２上にビス止め固定された、滑り止め用凹凸条５３ａが形成されている側面視横倒し「９」字状の押し引き操作部５３と、からなっており、前記連結支持部５２の断面コ字状部分５２Ａに、前記引張レバー４０の上部４１が圧入ピン４５で揺動自在に連結されている。
【００５２】
また、ケース部材２０の上面には、図２、図４に示される如くに、前記サブレバー５０の始端位置（アイドル位置）Ｌから終端位置（全開位置）Ｈへの揺動及びその逆方向の揺動を許容するように、側面視が前記第二回動軸線Ｏｂを中心とした円弧状で平面視長方形の切欠開口２０ｆが形成されている。また、前記連結支持部５２上で前記押し引き操作部５３の下面側には、前記押し引き操作部５３の角柱状連結部５３ｂが嵌挿される長穴５４ａが形成され、前記ケース部材２０の上面に形成された前記切欠開口２０ｆを前記連結支持部５２及び前記押し引き操作部５３と協同して塞ぐように揺動移動せしめられる、側面視が前記第二回動軸線Ｏｂを中心とした円弧状で平面視長方形の可動サブカバー５４が配在されて、異物が前記切欠開口２０ｆから前記ケース部材２０の内部に入り込むのを防止している。
【００５３】
前記サブレバー５０における前記押し引き操作部５３以外のレバー部分（前記レバー部５１、前記連結支持部５２、前記可動サブカバー５４）は、前記右側カバーケース２１内に収納されており、前記サブレバー５０は、図８、図９に示される始端位置（アイドル位置）Ｌから図１０、図１１に示される後端位置（全開位置）Ｈまでの範囲内で自由に揺動（押し引き）操作され、任意の揺動操作位置にて指を放しても、不動状態で保持されるようになっている。
【００５４】
すなわち、図５、図６に示される如くに、前記サブレバー５０の前記レバー部５１と、前記右側カバーケース２１の外側に配在されたキャップ状の押さえピース６１とが、間にウェーブワッシャ６３が介装された状態で、ボルト６５−六角ナット６６（図４参照）で締め付けられて、前記右側カバーケース２１に圧接せしめられており、かつ、前記サブレバー５０、前記押さえピース６１、及び、前記ボルト６５−六角ナット６６が、一体回動するように組み付けられている。
【００５５】
より詳細には、前記サブレバー５０の前記レバー部５１の下部には、前記右側カバーケース２１に形成された軸受穴５６に嵌挿される軸部５５が突設され、この軸部５５の外端部に断面矩形の凹部５５ａがすり割り状に形成されるとともに、前記押さえピース６１に前記凹部５５ａに嵌合せしめられる凸部６１ａが形成され、前記押さえピース６１及び前記軸部５５にそれぞれボルト穴６１ｃ、５５ｃが形成されるとともに、前記レバー部５１の下部における反軸部側に、前記六角ナット６６が嵌め込まれる一体回動用の六角嵌合穴５８（図４参照）が形成されている。なお、前記ウェーブワッシャ６３は、前記押さえピース６１に設けられた前記凸部６１ａに外嵌固定され、該ウェーブワッシャ６３と前記右側カバーケース２１の外壁面との間、及び、前記レバー部５１の下部内側面と前記右側カバーケース２１の内壁面との間には、それぞれ円環状のウエアリングプレート６４、６８（図４、図５参照）が介装されている。
【００５６】
したがって、前記サブレバー５０は、前記第二回動軸線Ｏｂ（前記ボルト６５−六角ナット６６の中心軸線）を支点にして前後に揺動操作される。この場合、前記サブレバー５０及び前記ウェーブワッシャ６３は、前記ボルト６５−六角ナット６６で前記右側カバーケース２１（の側壁部）に圧接するように締め付けられ、この締め付け力によるそれらの間の摩擦抵抗によって、前記サブレバー５０を任意の揺動操作位置にて、手放しでも保持できるようになっている。なお、前記第一回動軸線Ｏａと前記第二回動軸線Ｏｂとは同一（鉛直）線上に配在されて、前記メインレバー３０の揺動角度が小さくても前記スロットルケーブル１７の引き出しストロークを十分に確保できるよう配慮している（図４参照）。
【００５７】
一方、前記引張レバー４０は、前記サブレバー５０における前記連結支持部５２の断面コ字状部分５２Ａに圧入されている前記ピン４５の中心線である第三回動軸線Ｏｃを支点として揺動せしめられる。この引張レバー４０の下部４２には、前記スロットルケーブル１７の先端に取り付けられた端金具１８が嵌め込まれて係止されており、この端金具１８（の中心）が前記引張レバー４０と前記スロットルケーブル１７との結合点Ｋとされている。なお、前記スロットルケーブル１７が挿通せしめられている前記ボーデンケーブル１５の前記アウターチューブ１６の先端（端金具１９）は、前記右側カバーケース２１に設けられた前記ストッパ部２９（図４）で前方への移動が係止され、前記スロットルケーブル１７は前記ストッパ部２９から真っ直ぐ前方に引き出されて前記引張レバー４０の前記下部４２に連結されている。
【００５８】
前記メインレバー３０の前記カム状押動部３４ａは、前記引張レバー４０の下端寄りに形成されている厚肉中間部分４３を押動するようにされている。すなわち、前記引張レバー４０は、前記第三回動軸線Ｏｃを支点とし、前記カム状押動部３４ａの押圧点を力点とし、前記下部４２を作用点とする、てこ機構を構成している。
【００５９】
また、前記連結支持部５２における前記断面コ字状部分５２Ａの縦辺部５２ａ（図４、図８〜図１１）は、前記メインレバー３０が前記解放位置Ｆにあるとき、及び、前記サブレバー５０が前記始端位置Ｌにあるときにおける、前記引張レバー４０と前記ケーブル１７との結合点Ｋの位置が前記第二回動軸線Ｏｂ上となるように、前記引張レバー４０の前記ケーブル１７による引っ張り方向の揺動限界位置を定める係止部となっている（図４、図８〜図１１参照）。
【００６０】
ここでは、図８、図９に示される如くに、前記サブレバー５０が前記始端位置Ｌにあるときは、前記引張レバー４０が前記ケーブル１７に引っ張られて前記サブレバー５０の前記縦辺部（係止部）５２ａに係止されるが、このとき、前記引張レバー４０の前記下部４２と前記スロットルケーブル１７との結合点Ｋが前記第二回動軸線Ｏｂ上に位置し、かつ、前記メインレバー３０が図８に示される解放位置Ｆにあるときは勿論、該解放位置Ｆから図９に示されるセット位置Ｓまで揺動操作されても、前記メインレバー３０によって前記引張レバー４０が動かされることがなく、前記結合点Ｋの位置が変化しないように、各部の寸法形状が設定されている。
【００６１】
また、図１０に示される如くに、前記結合点Ｋは、前記サブレバー５０の回動軸線Ｏｂ上に位置しているので、前記サブレバー５０を前記始端位置Ｌから後方へ適宜（例えば前記終端位置Ｈまで）移動させても、前記メインレバー３０を前記解放位置Ｆから前記セット位置Ｓ方向へ揺動させない限り、前記結合点Ｋの位置は変化しない。つまり、図１０に示される如くに、前記サブレバー５０が前記終端位置Ｈにあり、かつ、前記メインレバー３０が解放位置Ｆにあるときは、前記メインレバー３０の前記カム状押動部３４ａが前記引張レバー４０に近接するものの、それを押動することがないように、各部の寸法形状が設定されている。
【００６２】
かかる構成のもとでは、図１０及び図１１に示される如くに、前記サブレバー５０を前記始端位置Ｌから後方へ適宜（例えば全開位置Ｈまで）親指で移動させた状態で、前記メインレバー３０（の握り操作部３３）を、図１０に示される解放位置Ｆから図１１に示されるセット位置Ｓまで手指で握って揺動させると、前記メインレバー３０の前記カム状押動部３４ａが、前記引張レバー４０の前記厚肉中間部分４３を押動し、前記引張レバー４０が前記第三回動軸線Ｏｃを支点として時計回りに揺動し、それに伴い、前記スロットルケーブル１７が前方側に引っ張られ、前記スロットル弁ＣＶが最小開度（アイドル開度）から開方向に回動せしめられて、前記サブレバー５０の揺動操作位置に応じた開度に調節される。この場合、前記引張レバー４０と前記メインレバー３０からなるてこ機構のレバー比により、前記メインレバー３０による前記スロットルケーブル１７の引っ張り量が拡大される。
【００６３】
なお、前記左側カバーケース２２の左肩中央部には、前記内燃機関２の前記点火プラグ５への電気回路を短絡して前記機関２を停止させるための、スライド式停止スイッチ７０が配設されている（図１、図３参照）。
【００６４】
前記の如くの構成とされた本実施形態のハンドレバー装置１０においては、前記メインレバー３０が解放位置Ｆにあるとき（アイドリング時）においても、スロットル弁ＣＶを制御するケーブル１７に弛み（遊び）が生じないように予めケーブル長等が設定されており、前記サブレバー５０を始端位置Ｌから適宜後方へ引いて移動させた状態で、前記メインレバー３０をセット位置Ｓまで揺動操作すると、前記ケーブル１７が引っ張られ、それに伴い、前記スロットル弁ＣＶが最小開度（アイドル開度）から開方向に回動せしめられて、前記サブレバー５０の操作位置に応じた開度に調節される。
【００６５】
ここで、前記メインレバー３０が解放位置Ｆにあるとき（アイドリング時）における前記引張レバー４０と前記ケーブル１７との結合点Ｋの位置が、前記サブレバー５０の揺動支点である第二回動軸線Ｏｂ上に設定され、前記サブレバー５０の操作位置が、始端（低速）Ｌ側乃至終端（高速）Ｈ側間の何処であっても、前記引張レバー４０と前記ケーブル１７との結合点Ｋの位置が一定となるようにされているので、アイドリング時に、前記サブレバー５０を移動操作しても、前記ケーブル１７（前記結合点Ｋ）は動かず、したがって、スロットル弁ＣＶもアイドル回転開度を保持したままとなるので、アイドル回転数が変動せず安定したものとなり、また、前記ケーブル１７に弛みを生じさせないことから、ケーブル１７が連結部等から外れ難くなり、その結果、作動の信頼性が増し、商品価値が向上する。
【００６６】
また、前記サブレバー５０が前記始端位置Ｌにあるとき（図８、図９参照）には、前記メインレバー３０が揺動操作されても、前記引張レバー４０と前記ケーブル１７との結合点Ｋの位置が変化しないようにされているので、前記サブレバー５０が始端位置Ｌにあるアイドリング時に、前記メインレバー３０が不測に動かされても（図９）、前記ケーブル１７は引っ張られず、したがって、スロットル弁ＣＶもアイドル回転開度を保持したままとなるので、アイドル回転数が変動せず安定したものとなる。このため、前記メインレバー３０や前記引張レバー４０の不測の変位を阻止するためのロック機構等が不要となり、構造が簡素となる。
【００６７】
さらに、前記スロットル弁ＣＶの開度を所望の作業位置に調節した状態で、例えば不測の事態が生じる等して直ちに前記機関２の回転数をアイドル回転迄低下させたいときには、前記メインレバー３０を解放する。前記ケーブル１７は常時前記スロットル弁ＣＶの閉方向に付勢されているので、前記カム状押動部３４ａによる制止が解除された前記引張レバー４０が、前記とは逆方向（反時計回り）に移動せしめられ（図１０に示される状態）、前記スロットル弁ＣＶが自動的にアイドル回転開度に戻り、前記機関２はアイドリング状態となる。
【００６８】
ここで、機関回転駆動力を遠心クラッチを介して刈刃等からなる作業部３に伝達するようにした作業機１であれば、前記遠心クラッチが遮断状態となって前記作業部３への動力伝達が断たれるので、刈刃等の作動が直ちに停止せしめられる。このように一旦前記メインレバー３０を解放した後、再びそのメインレバー３０を前記セット位置Ｓまで揺動操作すると、前記サブレバー５０は元の操作（作業）位置に保持されたままなので、前記スロットル弁ＣＶが前記メインレバー３０が解放される前の開度に再び戻され、前記サブレバー５０の再調節は不要となる。
【００６９】
したがって、本実施形態のハンドレバー装置１０においては、被駆動部材としてのスロットル弁ＣＶの開度を、ケーブル１７を介して調節できるとともに所望の開度に容易に保持させ得、かつ、即座に最小開度（アイドル回転開度）に戻すことができて高い安全性を確保できる。また、グリップ部１１を握る手指を疲れ難くでき、さらには、スロットル弁ＣＶをアイドル回転開度に戻す前の開度に設定したい場合には再調節を不要にできる。
【００７０】
また、前記ケース部材２０内に、前記サブレバー５０の押し引き操作部５３以外のレバー部分（前記レバー部５１、前記連結支持部５２、前記可動サブカバー５４）が収納されるので、前記ケース部材２０の外側に前記サブレバー５０と一体に回動せしめる一体回動部材等の組み付け配在が不要となり、前記ロック機構も不要となることと相俟って、部品点数を大幅に削減できて、構造を簡素にでき、装置コストを低減できるとともに、外観がすっきりして（図２参照）美観を向上でき、さらには、小型化、軽量化を図り得ると同時に、作業性や操作性をより向上させることができる。
【００７１】
加えて、前記サブレバー５０を任意の揺動操作位置で保持するための押さえピース６１及びボルト６５−六角ナット６６が前記サブレバー５０と相互に位置ずれを生ずることなく一体回動するように組み付けられていることから、当該ハンドレバー装置１０（が用いられた作業機）を長期間使用しても、前記ボルト６５−六角ナット６６が弛まず、したがって、前記ボルト６５−六角ナット６６により常時所要の締め付け力を確保できるので、前記サブレバー５０の連れ戻りは生じず、前記スロットル弁ＣＶの開度、機関回転数を常時適正に調節できるとともに、前記ボルト類を頻繁に締め直す手間が省ける。
【図面の簡単な説明】
【００７２】
【図１】本発明に係るハンドレバー装置の一実施形態が採用された刈払機の一例を示す斜視図。
【図２】本発明に係るハンドレバー装置の一実施形態を示す右上後方斜視図。
【図３】本発明に係るハンドレバー装置の一実施形態を示す左下前方斜視図。
【図４】図２、図３に示されるハンドレバー装置の動作説明に供される、左側カバーケースを取り去り、装置の作業時における一状態を示す部分切欠左側面図。
【図５】図２、図３に示されるハンドレバー装置におけるサブレバー保持機構の説明に供される分解斜視図。
【図６】図２、図３に示されるハンドレバー装置のメインレバー、サブレバー、引張レバー等を示す分解斜視図。
【図７】図２、図３に示されるハンドレバー装置の部分切欠透視平面図。
【図８】図２、図３に示されるハンドレバー装置の動作説明に供される、左側カバーケースを取り去り、装置の非作業時における一状態を示す部分切欠左側面図。
【図９】図２、図３に示されるハンドレバー装置の動作説明に供される、左側カバーケースを取り去り、装置の非作業時における他の状態を示す部分切欠左側面図。
【図１０】図２、図３に示されるハンドレバー装置の動作説明に供される、左側カバーケースを取り去り、装置の作業時における一状態を示す部分切欠左側面図。
【図１１】図２、図３に示されるハンドレバー装置の動作説明に供される、左側カバーケースを取り去り、装置の作業時における他の状態を示す部分切欠左側面図。
【符号の説明】
【００７３】
２        内燃機関
１０      ハンドレバー装置
２０      ケース部材
１７      スロットルインナーケーブル
２０ｆ    切欠開口
３０      メインレバー
４０      引張レバー
４１      上部
４２      下部
４３      中間部分
５０      サブレバー
５１      レバー部（レバー部分）
５１ａ    下端部
５２      連結支持部（レバー部分）
５２ａ    係止部
５３      押し引き操作部
５４      可動サブカバー
５５      軸部
５５ａ    凹部
５５ｃ    ボルト穴
５６      軸受穴
５８      嵌合穴
６１      押さえピース
６１ａ    凸部
６１ｃ    ボルト穴
６３      ウェーブワッシャ
６５      ボルト
６６      六角ナット
ＣＶ      スロットル弁（被駆動部材）
Ｏａ      第一回動軸線
Ｏｂ      第二回動軸線
Ｏｃ      第三回動軸線
Ｌ        始端位置
Ｆ        解放位置
Ｋ        結合点
【図１】
2006291772.tif 000003
【図２】
2006291772.tif 000004
【図３】
2006291772.tif 000005
【図４】
2006291772.tif 000006
【図５】
2006291772.tif 000007
【図６】
2006291772.tif 000008
【図７】
2006291772.tif 000009
【図８】
2006291772.tif 000010
【図９】
2006291772.tif 000011
【図１０】
2006291772.tif 000012
【図１１】
2006291772.tif 000013